(57)【要約】【課題】本発明の課題は、外観が損なわれにくい炊飯器を提供することにある。【解決手段】本発明に係る炊飯器１００は、「内鍋１３０」と、「操作パネル１１７」と、「前記内鍋の挿入口を形成する主枠部Ｆｒと、前記主枠部に隣接して配設され上側に前記操作パネルが載置されるパネル枠部Ｆｆとを有する肩部材１１１ｃ」と、「前記主枠部の下側に締結されるフランジ部ＦＰを有する保護枠１１１ｄ」とを備え、前記保護枠は、前記フランジ部から操作パネル配設側に向かって延びる一対の支持部ＳＵをさらに有し、前記支持部は、前記パネル枠部の下側に締結される。【選択図】図６
2020192081.tif 000002
【特許請求の範囲】
【請求項１】
内鍋と、
操作パネルと、
前記内鍋の挿入口を形成する主枠部と、前記主枠部に隣接して配設され上側に前記操作パネルが載置されるパネル枠部とを有する肩部材と、
前記主枠部の下側に締結されるフランジ部を有する保護枠と、を備え、
前記保護枠は、平面視において前記フランジ部から操作パネル配設側に向かって延びる一対の支持部をさらに有し、
前記支持部は、前記パネル枠部の下側に締結される、炊飯器。
【請求項２】
前記操作パネルの下側に配設される回路基板と、
前記回路基板を支持する前記基板支持部材と、をさらに備え、
前記基板支持部材は、一部が前記支持部よりも主枠部側の反対側に位置する共に前記パネル枠部の内側面に対向する状態で前記支持部と共に前記肩部材に締結される、請求項１に記載の炊飯器。
【請求項３】
前記基板支持部材は、前記パネル枠部における主枠部側の反対側の部位を外側に張り出す張出リブを有する、請求項２に記載の炊飯器。
【発明の詳細な説明】
【技術分野】
【０００１】
本発明は、炊飯器に関する。
【背景技術】
【０００２】
過去に「本体カバーと、カタ部と、保護枠とを含む炊飯器」が提案されている（例えば、特開２０１９−０４７８７２号公報等参照）。このような炊飯器では、保護枠にフランジが形成されており、そのフランジをカタ部に締結することによってカタ部の変形が抑制されている。
【０００３】
ところで、炊飯器には、カタ部の前部上側に操作パネルが配設されているものが存在する（例えば、特開２００７−０００１３４号公報等参照）。
【先行技術文献】
【特許文献】
【０００４】
【特許文献１】特開２０１９−０４７８７２号公報
【特許文献２】特開２００７−０００１３４号公報
【発明の概要】
【発明が解決しようとする課題】
【０００５】
後者の炊飯器のカタ部の前部には、操作パネルのみならず制御基板等の部品が配設される。このため、後者の炊飯器では、部品の収容スペースをできるだけ大きく確保するためにカタ部の前部は比較的薄くされていることが多い。しかし、カタ部を薄くするとカタ部に反りや垂れが生じやすくなり、その結果、比較的短期間で操作パネルとの間に隙間や段差が生じたり、操作パネルの位置ズレが生じたりして、炊飯器の外観が損なわれることがある。
【０００６】
本発明の課題は、外観が損なわれにくい炊飯器を提供することにある。
【課題を解決するための手段】
【０００７】
本発明に係る炊飯器は、
内鍋と、
操作パネルと、
前記内鍋の挿入口を形成する主枠部と、前記主枠部に隣接して配設され上側に前記操作パネルが載置されるパネル枠部とを有する肩部材と、
前記主枠部の下側に締結されるフランジ部を有する保護枠と、を備え、
前記保護枠は、平面視において前記フランジ部から操作パネル配設側に向かって延びる一対の支持部をさらに有し、
前記支持部は、前記パネル枠部の下側に締結される。
【０００８】
上記構成によれば、肩部材が比較的低剛性で変形しやすかったとしても、肩部材に対して比較的高剛性の材料で形成される保護枠を締結することによって、肩部材の垂れ等の変形を抑制することができる。また、肩部材のパネル枠部は、変形しやすい部位であるが、その部位において保護枠の支持部を締結することによって、パネル枠部の垂れを効果的に抑制される。これにより、肩部材と操作パネルとの間に隙間が生じることが抑制され、炊飯器の外観を損なわれにくくすることができる。
【０００９】
本発明では、
前記操作パネルの下側に配設される回路基板と、
前記回路基板を支持する基板支持部材と、をさらに備え、
前記基板支持部材は、一部が前記支持部よりも主枠部側の反対側に位置する共に前記パネル枠部の内側面に対向する状態で前記支持部と共に前記肩部材に締結されると好適である。
【００１０】
上記構成によれば、垂れ等の変形が生じ易い前方寄りの部位で、肩部材、保護枠および基板支持部材の３部材が共締めされて締結されているので、肩部材が変形して操作パネルと肩部材との間に隙間が生じることを抑制することができる。
【００１１】
本発明では、
前記基板支持部材は、前記パネル枠部における主枠部側の反対側の部位を外側に張り出す張出リブを有すると好適である。
【００１２】
上記構成によれば、張出リブによりパネル枠部における主枠部側の反対側の部位に張りを与えることが可能になり、肩部材の外観不良の発生を抑えることができる。
【図面の簡単な説明】
【００１３】
【図１】本発明の実施の形態に係る炊飯器の正面図である。
【図２】図１のＩ−Ｉ断面図である。
【図３】本発明の実施の形態に係る炊飯器を図２のＩＩ−ＩＩ線で片側だけ切断した部分断面図である。
【図４】本発明の実施の形態に係る炊飯器の本体の筐体から側壁を取り外した状態の左側面図である。
【図５】本発明の実施の形態に係る炊飯器を構成する側壁に取っ手を挿し込んだ状態の上方斜視図である。
【図６】本発明の実施の形態に係る炊飯器を構成する筐体の肩部材、保護枠および基板支持部材から成る組立体の上方分解斜視図である。
【図７】本発明の実施の形態に係る炊飯器を構成する筐体の肩部材、保護枠および基板支持部材から成る組立体の下方分解斜視図である。
【図８】本発明の実施の形態に係る炊飯器を構成する保護枠と、肩部材・保護枠・操作パネルの組立体との平面対比図である。
【発明を実施するための形態】
【００１４】
＜本発明の実施の形態に係る炊飯器の構造＞
本発明の実施の形態に係る炊飯器１００は、誘導加熱式の圧力炊飯器であって、図１〜図３に示されるように、主に、本体１１０、内鍋１３０、蓋体１４０およびヒンジ機構１５０から構成される。以下、これらの構成要素について詳述する。
【００１５】
１．本体
本体１１０は、図１〜図３に示されるように、主に、筐体１１１、取っ手１１２、断熱材（図示せず）、誘導加熱コイル１１３、フェライトコア組立体１２１、サーミスタ１１４、送風ファン１１５、ヒートシンク１１６、操作パネル１１７、電源回路基板１１８、制御回路基板１１９および自動巻取式電源コードユニット１２０から構成される。以下、これらの構成要素について詳述する。
【００１６】
（１）筐体
筐体１１１は、図１〜図３に示されるように、主に、側壁１１１ａ、底壁１１１ｂ、肩部材１１１ｃ、保護枠１１１ｄおよび基板支持部材１１１ｅから構成されており、断熱材（図示せず）、誘導加熱コイル１１３、フェライトコア組立体１２１、サーミスタ１１４、送風ファン１１５、ヒートシンク１１６、電源回路基板１１８、制御回路基板１１９および自動巻取式電源コードユニット１２０等を収容している。また、肩部材１１１ｃの前側の上側には操作パネル１１７が配設されている。以下、筐体１１１の各構成要素について詳述した後に、肩部材１１１ｃ、保護枠１１１ｄおよび基板支持部材１１１ｅの締結構造について詳述する。
【００１７】
側壁１１１ａは、平面視において略長方形を呈する囲い壁であって、図１および図２に示されるように本体１１０の側面を覆っている。また、この側壁１１１ａには、図５に示されるように取っ手１１２が回動自在に取り付けられる。
【００１８】
底壁１１１ｂは、略方形の板状体であって、図１および図２に示されるように側壁１１１ａの下側に嵌め込まれており、側壁１１１ａの下側の開口を覆っている。そして、この底壁１１１ｂには、図２に示されるように、筐体１１１の外部の空気を内部に吸い込むための吸気口Ｏｓ、および、筐体１１１の内部の空気を外部に排出するための排気口（図示せず）が形成されている。なお、図２に示されるように、吸気口Ｏｓの直上には、送風ファン１１５が配設されている。この送風ファン１１５が駆動されると、吸気口Ｏｓを通って外部の空気が筐体１１１の内部に吸い込まれ、それによって生じる空気流れにより内部の加熱空気が排気口から系外に排出される。
【００１９】
肩部材１１１ｃは、略方形状の枠体であって、図１および図２に示されるように側壁１１１ａの上側に嵌合されており、側壁１１１ａの上側の開口の縁部を覆っている。そして、図２に示されるように、この肩部材１１１ｃの下側には、保護枠１１１ｄが取り付けられている。なお、図２に示されるように、保護枠１１１ｄはフランジ部ＦＰ（後述）で肩部材１１１ｃに取り付けられており、フランジ部ＦＰは肩部材１１１ｃを外側に向かって張り出させている。
【００２０】
保護枠１１１ｄは、内鍋１３０の外周を保護すると共に肩部材１１１ｃの形状を保持する役目を担う部材であって、ポリエチレンテレフタレート（ＰＥＴ）樹脂等の形状を保ちやすい材質から形成されている。そして、この保護枠１１１ｄは、図２、図３および図６〜図８に示されるように、主に、内鍋収容部ＰＡ、フランジ部ＦＰおよび支持部ＳＵから形成されている。内鍋収容部ＰＡは、内鍋１３０の外周を覆う椀状の部位である。フランジ部ＦＰは、上述の通り、肩部材１１１ｃの下側に配設されており、肩部材１１１ｃの後側の枠状部位を外側に向かって張ることにより肩部材１１１ｃの後側の枠状部位の形状を保持させている。支持部ＳＵは、図８に示されるようにフランジ部ＦＰから操作パネル配設側に向かって延びる部位であって、肩部材１１１ｃの前側の枠状部位の後部を外側に向かって張ることにより肩部材１１１ｃの前側の枠状部位の後部の形状を保持させている。
【００２１】
基板支持部材１１１ｅは、制御回路基板１１９を支持する共に肩部材１１１ｃの前側の部位の形状を保持する役目を担う部材であって、ポリエチレンテレフタレート（ＰＥＴ）樹脂等の形状を保ちやすい材質から形成されている。
【００２２】
（肩部材、保護枠および基板支持部材の締結構造）
図６および図７に示されるように、肩部材１１１ｃ、保護枠１１１ｄおよび基板支持部材１１１ｅが嵌め合わされると、肩部材１１１ｃのネジ受け柱Ｃｒが基板支持部材１１１ｅのネジ貫入部Ｐｋを通って保護枠１１１ｄのネジ受け部Ｐｂにまで達する。そして、この嵌合状態で保護枠１１１ｄのネジ受け部Ｐｂの下側からネジ（図示せず）が螺入されることによって、肩部材１１１ｃ、保護枠１１１ｄおよび基板支持部材１１１ｅが締結される。
【００２３】
以下、肩部材１１１ｃ、保護枠１１１ｄおよび基板支持部材１１１ｅの各部位の位置関係等を説明する便宜上、図６〜図８に示されるように、肩部材１１１ｃの前側に設けられる略半月状の枠状部位をパネル枠部Ｆｆとし、肩部材１１１ｃの後側に設けられる、外側が略方形であって内側が円形である枠状部位を主枠部Ｆｒとする。なお、上述の通り、パネル枠部Ｆｆの上側には操作パネル１１７が配設され、主枠部Ｆｒの開口には内鍋１３０が挿通されることになる（すなわち、この開口は、内鍋１３０の挿入口となる。）。
【００２４】
図８から明らかなように、肩部材１１１ｃ、保護枠１１１ｄおよび基板支持部材１１１ｅが締結された状態において、保護枠１１１ｄのフランジ部ＦＰは主枠部Ｆｒの下側に位置しており、保護枠１１１ｄの支持部ＳＵはパネル枠部Ｆｆの主枠部側において幅方向両側に位置している。すなわち、保護枠１１１ｄのフランジ部ＦＰは肩部材１１１ｃの主枠部Ｆｒの形状を保持し、支持部ＳＵは肩部材１１１ｃのパネル枠部Ｆｆの主枠部側の形状を保持している。また、図６および図７から明らかなように、基板支持部材１１１ｅは、その一部が保護枠１１１ｄの支持部ＳＵよりもパネル枠部側に位置する共にパネル枠部Ｆｆの内側面に対向する状態で保護枠１１１ｄの支持部ＳＵと共に肩部材１１１ｃに締結されている。また、この基板支持部材１１１ｅは、肩部材１１１ｃのパネル枠部Ｆｆの前側の部位に対向しており、図６に示されるように、前側に配設された張出リブＲｂによって肩部材１１１ｃのパネル枠部Ｆｆ前側の部位を張り出させてその部位の形状を保持している。
【００２５】
（２）取っ手
取っ手１１２は、使用者が炊飯器１００を手で持ち運ぶために設けられている部材であって、図３に示されるように本体部１１２ａおよび軸部１１２ｂから構成されている。本体部１１２ａは、略コの字状を呈している。軸部１１２ｂは、図３および図５に示されるように本体部１１２ａの両端から内側に向かって延びている。なお、この炊飯器１００において、この軸部１１２ｂは、図３および図５に示されるように、側壁１１１ａの長手方向中央の上部に形成される孔Ｐｘを通って、保護枠１１１ｄに形成される嵌合部Ｃｐに嵌合されている。
【００２６】
（３）断熱材
断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００２７】
（４）誘導加熱コイル
誘導加熱コイル１１３は、内鍋１３０を誘導加熱する誘導加熱源であって、図２および図３に示されるように保護枠１１１ｄの内鍋収容部ＰＡの底壁部および側壁下端部の外側に配設されている。
【００２８】
（５）フェライトコア組立体
フェライトコア組立体１２１は、図３および図４に示されるように誘導加熱コイル１１３の周囲に配設されている。フェライトコアは、通電時に誘導加熱コイル１１３から発生する電磁波が外部に漏れ出るのを抑制する役目を担っている。
【００２９】
（６）サーミスタ
サーミスタ１１４は、温度センサであって、図２に示されるように、保護枠１１１ｄの内鍋収容部ＰＡの底壁部の中央部に形成された開口を通って、上方に向かって突出している。なお、このサーミスタ１１４は、コイルバネ等の付勢部材によって上方に付勢されている。すなわち、このサーミスタ１１４は、上下方向に沿って出没自在な状態とされている。また、このサーミスタ１１４は、内鍋検知センサ（図示せず）に組み込まれている。内鍋検知センサは、炊飯器内に内鍋１３０が存在するか否かを判断するためのものであって、サーミスタ１１４が下端位置まで下がると、検知信号を制御回路基板１１９のマイクロコンピュータに送信する。マイクロコンピュータは、検知信号を受信すると、炊飯器内に内鍋１３０が存在すると判断する。なお、マイクロコンピュータが、炊飯器内に内鍋１３０が存在しないと判断した場合、炊飯運転が開始されない。ところで、このサーミスタ１１４は、図２に示されるように略円盤状のカバー部材１２７によって支持されている。このカバー部材１２７は、保護枠１１１ｄの内鍋収容部ＰＡの底壁にネジ止めされている。
【００３０】
（７）送風ファン
送風ファン１１５は、上述の通り、筐体１１１の底壁１１１ｂに形成される吸気口Ｏｓの直上に、回転軸が略上下方向に沿うようにして配設されている（図２参照）。すなわち、この送風ファン１１５が駆動されると、外部の空気が吸気口Ｏｓから吸い込まれて筐体内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００３１】
（８）ヒートシンク
ヒートシンク１１６は、外部の空気と効率よく熱交換を行わせる部品である。
【００３２】
（９）操作パネル
操作パネル１１７は、炊飯器１００の運転方法を決定して実行するためのものであって、図１〜図３に示されるように、主に、パネル本体１１７ａおよび押圧ボタンＢＴ等から構成されており、上述の通り、肩部材１１１ｃのパネル枠部Ｆｆの上側に配設されている。
【００３３】
（１０）電源回路基板
電源回路基板１１８は、電源回路を構成する基板であって、いくつかの発熱部品を実装している。なお、この電源回路基板１１８は、図２に示されるように、後述する制御回路基板１１９と同様に筐体１１１の前側空間ＳＰｆに収容されている。
【００３４】
（１１）制御回路基板
制御回路基板１１９は、制御回路を構成する基板であって、マイクロコンピュータ等の電子部品を実装している。そして、この制御回路基板１１９は、図２に示されるように、筐体１１１の前側空間ＳＰｆにおいて、ヒートシンク１１６の上方、操作パネル１１７の下側に配設される基板支持部材１１１ｅに支持されている。
【００３５】
（１２）自動巻取式電源コードユニット
自動巻取式電源コードユニット１２０は、電源コードおよび自動巻取機構（図示せず）等から構成されており、図２に示されるように筐体１１１の後側の空間に収容されている。電源コードは、差込プラグ（図示せず）および電気線（図示せず）から構成されている。差込プラグは、電気線の先端に配設されている。電気線は、伸展自在に自動巻取機構に巻回されている。
【００３６】
２．内鍋
内鍋１３０は、上方に開口する椀状の鍋であって、肩部材１１１ｃの開口に挿通されると共に、保護枠１１１ｄの内鍋収容部ＰＡに所定の隙間をもって収容される。なお、ここで、内鍋１３０は、種々のアルミニウム合金およびステンレス合金の多層体（クラッド材）であって、誘導加熱コイル１１３によって誘導加熱され得る。
【００３７】
３．蓋体
蓋体１４０は、図１〜図３に示されるように、主に、外装体１４１、開閉ボタン１４２、圧力調整機構１４３、補強部材１４４、内蓋１４５およびレバー部材１４６から構成されており、ヒンジ機構１５０を介して本体１１０に回動自在に取り付けられている。
【００３８】
外装体１４１は、図１および図２に示されるように、略直方体状の部材であって、開閉ボタン１４２、圧力調整機構１４３およびレバー部材１４６等を収容している。なお、ここで、開閉ボタン１４２は、図１および図２に示されるように、上面が外装体１４１の上側に露出するように外装体１４１に配設されている。また、ここで、この外装体１４１は、使用時の内圧に耐えることができるように補強部材によって補強されている。さらに、この外装体１４１の下面には、着脱自在に内蓋１４５が配設されている。
【００３９】
開閉ボタン１４２は、蓋体１４０を開閉するための角丸長方形状のボタンであって、レバー部材１４６の上側に配設されている。なお、この開閉ボタン１４２は、コイルバネ（図示せず）によって上方に向かって付勢されている。
【００４０】
レバー部材１４６は、当接板部（図示せず）と、当接板部の前側から下方に延びる左右一対の延設板部（図示せず）と、各延設板部の下部から後方に向かって延びる爪部（図示せず）とから形成される金属板部材であって、外装体１４１に軸支されていると共に、当接板部の後端でコイルバネ（図示せず）によって上方に向かって付勢されている。なお、ここで、使用者によって開閉ボタン１４２が押し下げられると、開閉ボタン１４２は、レバー部材１４６の当接板部のうち回動軸の後側の部位に当接する。
【００４１】
そして、使用者が蓋体１４０を閉状態としようとするとき、使用者は開閉ボタン１４２を操作する必要がなく、そのまま蓋体１４０を本体１１０に向かって倒し込めばよい。このとき、レバー部材１４６の爪部が、肩部材１１１ｃに形成される傾斜面（図示せず）に接触しながら下方に移動していく。この間、レバー部材１４６は、コイルバネの付勢力に逆らって前方に向かって回動する。そして、爪部が、肩部材１１１ｃに形成される爪受孔（図示せず）まで達すると、コイルバネの付勢力により爪部がその爪受孔に嵌り込む。このようにして蓋体１４０が閉状態となる。一方、蓋体１４０を開状態とするとき、使用者は、開閉ボタン１４２を押し下げる。すると、開閉ボタン１４２の下端部位がレバー部材１４６の当接部に当接し、レバー部材１４６がコイルバネの付勢力に逆らって前方に向かって回動する。このとき、爪受孔に嵌り込んでいた爪部が爪受孔から引き出される。そして、ヒンジ機構１５０の付勢力により蓋体１４０が上方に持ち上げられ、蓋体１４０が開状態となる。
【００４２】
圧力調整機構１４３は、蓋体１４０が閉状態とされ圧力炊飯運転されている状態において、内鍋１３０の内部の圧力を１．０３〜１．３気圧に調整する。また、この圧力調整機構１４３は、圧力炊飯運転中、蓋体１４０を開状態としないようにレバー部材１４６の回動を規制する。なお、本実施の形態において、この圧力調整機構としては、特に限定されず、従前のものが採用されてもかまわない。
【００４３】
補強部材は、蓋体１４０の強度を高めるためのものである。なお、本実施の形態において、補強部材は、特に限定されず、金属板そのものであってもよいし、金属板を複雑形状にしたものであってもよい。
【００４４】
内蓋１４５は、図２に示されるように内鍋１３０の上部を覆って密閉するための部材である。
【００４５】
４．ヒンジ機構
ヒンジ機構１５０は、上述の通り、蓋体１４０が本体１１０に対して回動自在となるように蓋体１４０を本体１１０に取り付けている。なお、上述の通り、このヒンジ機構１５０は、蓋体１４０を開方向に向かって付勢している。
【００４６】
＜本発明の実施の形態に係る炊飯器の特徴＞
（１）
本発明の実施の形態に係る炊飯器１００では、保護枠１１１ｄのフランジ部ＦＰが、肩部材１１１ｃの主枠部Ｆｒを外側に向かって張ることにより肩部材１１１ｃの主枠部Ｆｒを張りさせると共に、保護枠１１１ｄの支持部ＳＵが、肩部材１１１ｃのパネル枠部Ｆｆの後部を外側に向かって張ることにより肩部材１１１ｃのパネル枠部Ｆｆの後部の形状を保持させている。このため、肩部材１１１ｃが比較的低剛性で変形しやすかったとしても、肩部材１１１ｃの変形を抑制することができ、延いては肩部材１１１ｃと操作パネル１１７との間に隙間や段差が生じにくくさせることができると共に、操作パネル１１７の位置ズレを生じにくくさせることができる。このため、この炊飯器１００では、外観が損なわれにくい。
【００４７】
（２）
本発明の実施の形態に係る炊飯器１００では、基板支持部材１１１ｅが、肩部材１１１ｃのパネル枠部Ｆｆの前側の部位に対向しており、前側に配設された張出リブＲｂによって肩部材１１１ｃのパネル枠部Ｆｆの前側の部位を張り出させてその部位の形状を保持している。このため、肩部材１１１ｃのパネル枠部Ｆｆの前側の部位が比較的低剛性で変形しやすかったとしても、その部位の変形を抑制することができ、延いては肩部材１１１ｃと操作パネル１１７との間に隙間や段差が生じにくくさせることができると共に、操作パネル１１７の位置ズレを生じにくくさせることができる。このため、この炊飯器１００では、外観が損なわれにくい。
【００４８】
＜変形例＞
（Ａ）
先の実施の形態に係る炊飯器１００では保護枠１１１ｄの支持部ＳＵが、フランジ部ＦＰの先端側の幅方向両側から前方の向かって延びる突起であったが、支持部が円弧形状とされ、その支持部が基板支持部材１１１ｅと同様の役目を担ってもよい。
【００４９】
（Ｂ）
先の実施の形態に係る炊飯器１００では保護枠１１１ｄと基板支持部材１１１ｅとは別部材とされたが、保護枠１１１ｄと基板支持部材１１１ｅは一体成形されてもよい。
【００５０】
（Ｃ）
先の実施の形態に係る炊飯器１００では肩部材１１１ｃのパネル枠部Ｆｒと保護枠１１１ｄの支持部ＳＵとの間に基板支持部材１１１ｅを挟み込んで、肩部材１１１ｃ、保護枠１１１ｄおよび基板支持部材１１１ｅを共締めしたが、肩部材１１１ｃのパネル枠部Ｆｒに対して保護枠１１１ｄの支持部ＳＵを締結すると共に、基板支持部材１１１ｅを肩部材１１１ｃのパネル枠部Ｆｒのみに締結してもよい。
【符号の説明】
【００５１】
１１１ｃ    ：肩部材
１１１ｄ    ：保護枠
１１１ｅ    ：基板支持部材
１１７      ：操作パネル
１１９      ：制御回路基板（回路基板）
１３０      ：内鍋
Ｆｆ        ：パネル枠部
Ｆｒ        ：主枠部
ＦＰ        ：フランジ部
ＳＵ        ：支持部
Ｒｂ        ：張出リブ
【図１】
2020192081.tif 000003
【図２】
2020192081.tif 000004
【図３】
2020192081.tif 000005
【図４】
2020192081.tif 000006
【図５】
2020192081.tif 000007
【図６】
2020192081.tif 000008
【図７】
2020192081.tif 000009
【図８】
2020192081.tif 000010